(57)【要約】      （修正有） 【課題】本発明は、扉の引き込み部に、引き込み部内を清掃する為の点検用パネルや、引き込み部内の室内側の壁面に形成されたパイピングスペースのガス配管等の点検あるいはメーターの検針を行う為の点検用扉を設けた引き戸に関するものであり、悪戯等によって扉が開放出来なくなることがなく、安全性に優れ、安心して、引き込み部内の清掃、あるいはガス電気等の検針、点検が出来る引き戸を提供する。【解決手段】扉１５の引き込み部に開閉可能な点検用扉３が設けられた引き戸１において、扉１５が所定位置より開放されるのを阻止する開放阻止部材５を、点検用扉３を開放した状態でのみ操作可能としたものである。【選択図】図２
2006124914.tif 000002
【特許請求の範囲】
【請求項１】
扉の引き込み部に開閉可能な点検用扉が設けられた引き戸において、扉が所定位置より開放されるのを阻止する開放阻止部材を、点検用扉を開放した状態でのみ操作可能とした事を特徴とする引き戸。
【請求項２】
扉の引き込み部に開閉可能な点検用扉が設けられた引き戸において、点検用扉を開放した状態で、扉の開放側端部に当接して扉が所定位置より開放されるのを阻止する開放阻止部材を、点検用扉を開放した状態でのみ操作可能とした事を特徴とする引き戸。
【請求項３】
扉の引き込み部に開閉可能な点検用扉が設けられた引き戸において、点検用扉を開放した時、扉の開放方向の移動進路に位置して扉が所定位置より開放されるのを阻止し、点検用扉を閉鎖した時、扉の開放方向の移動進路から退避して扉が全開出来るようにした開放阻止部材を、点検用扉の開閉動作に連動して設けたことを特徴とする引き戸。
【発明の詳細な説明】
【技術分野】
【０００１】
本発明は、扉の引き込み部に、引き込み部内を清掃する為の点検用パネルや、引き込み部内の室内側の壁面に形成されたパイピングスペースのガス配管等の点検あるいはメーターの検針を行う為の点検用扉を扉の引き込み部に設けた引き戸に関するものである。
【背景技術】
【０００２】
この種の引き戸としては、扉の引き込み部内部の清掃等が可能な開口部が扉の引き込み部下方に形成され、開口部に点検パネルが取り付けられた状態で、点検パネルに設けられた点検パネル着脱用の操作突片が出入可能な間隙を、点検パネルと開口部の飾り縁枠間に形成することにより、操作突片が点検パネルの表面から外方に突出する位置と点検パネルに収納される位置に変移可能に設けられているものがある。（例えば、特許文献１参照。）
この場合、点検パネルを取外して、掃除機、あるいは、屈み込んで引き込み部内を清掃している時、点検パネルの取付側の反対側から（例えば、廊下側に点検パネルが取付けられているときには室内側から）扉が開放される場合があり、引き込み部内で、扉の開放側端部が掃除機、あるいは人体の一部に衝突する事があり、非常に危険であると共に、扉が損傷する要因にもなっていた。
【０００３】
【特許文献１】特許第３５１３４３９号公報
【発明の開示】
【発明が解決しようとする課題】
【０００４】
本発明は、悪戯等によって扉が開放出来なくなることがなく、安全性に優れ、安心して、引き込み部内の清掃、あるいはガス電気等の検針、点検が出来る引き戸を提供する事を課題とする。
【課題を解決するための手段】
【０００５】
そこで、上記課題を解決する為、本発明が第１の手段として構成したところは、扉の引き込み部に開閉可能な点検用扉が設けられた引き戸において、扉が所定位置より開放されるのを阻止する開放阻止部材を、点検用扉を開放した状態でのみ操作可能としたものである。
【０００６】
次に、本発明が第２の手段として構成したところは、扉の引き込み部に開閉可能な点検用扉が設けられた引き戸において、点検用扉を開放した状態で、扉の開放側端部に当接して扉が所定位置より開放されるのを阻止する開放阻止部材を、点検用扉を開放した状態でのみ操作可能としたものである。
【０００７】
次に、本発明が第３の手段として構成したところは、扉の引き込み部に開閉可能な点検用扉が設けられた引き戸において、点検用扉を開放した時、扉の開放方向の移動進路に位置して扉が所定位置より開放されるのを阻止し、点検用扉を閉鎖した時、扉の開放方向の移動進路から退避して扉が全開出来るようにした開放阻止部材を、点検用扉の開閉動作に連動して設けたものである。
【発明の効果】
【０００８】
第１の手段として構成したところによると、点検用扉を開放した状態でのみ開放阻止部材を操作出来ないので、点検扉を開放できる権限を有する者（点検扉の施錠状態を解除できる鍵を所有する者）しか、開放阻止部材を操作出来ない。  したがって、第三者の悪戯等によって、扉が開放できなくなるようなことが一切ない。
又、開放阻止部材を操作することにより、安全性に優れ、安心して、引き込み部内の清掃、あるいはガス電気等の検針、点検が出来る。
【０００９】
第２の手段として構成したところによると、第１の手段として構成したところの効果に加え、開放阻止部材は扉の開放側端部に当接して扉が所定位置より開放されるのを阻止する構成であるから、構造が簡単で故障することもなく、操作も容易で安価に製作出来る。
【００１０】
第３の手段として構成したところによると、点検用扉を開放した時、扉の開放方向の移動進路に位置して扉が所定位置より開放されるのを阻止するので、開放阻止部材の操作忘れによって、清掃中等に扉が開放される恐れがない。
又、点検用扉を閉鎖した時、扉の開放方向の移動進路から退避するので、清掃等の後、点検用扉を閉鎖すれば、扉は必ず全開可能な状態となる。
すなわち、開放阻止部材は点検用扉の開閉と連動するので、点検用扉の開放時に扉の開放を阻止することと、点検用扉を閉じた時に、扉を全開可能な状態（通常の使用状態）とすることが確実に行え、使用勝手に優れ、開放阻止部材を操作する手間が不要で、第三者の悪戯等によって、扉が開放できなくなるようなことも一切なく、安全性に優れ、安心して、引き込み部内の清掃、あるいはガス電気等の検針、点検が出来る。
【発明を実施するための最良の形態】
【００１１】
本発明は、扉の引き込み部に開閉可能な点検用扉が設けられた引戸において、点検用扉を開放した状態で、扉の開放側端部に当接して扉が所定位置より開放されるのを阻止する開放阻止部材を、点検用扉を開放した状態でのみ操作可能としたものである。
【実施例】
【００１２】
以下、図１〜図４に基づいて第１実施例を説明する。
図１において符号１は本発明の引き戸を示し、符号１０は引き戸枠を示している。
引き戸枠１０は、建物側の鉄骨にブラケットを介して固定された戸尻側縦枠１１および戸先側縦枠１２と、戸尻側縦枠１１と戸先側縦枠１２との上端間に配設され、建物側鉄骨にブラケットを介して固定された上横枠１３より門形に形成されている。
【００１３】
符号２は、レール取付材を示している。
レール取付材２は、戸尻側縦枠１１、戸先側縦枠１２の上端部内面に設けられたレール取付材固定座に、戸尻側縦枠１１側及び戸先側縦枠１２側の端部が固定用ボルト・・・にて高さ調節自在に連結され、レール取付材１３の室内側に吊り戸レール１４が戸先側縦枠１２側が下がる傾斜状態に着脱自在に連結されている。
符号１５は、吊り金具、吊りボルトを介して吊り戸レール１４に吊り下げられた扉を示し、符号１６、１６は、戸尻側縦枠１１と戸先側縦枠１２間で、上端が上横枠１３の室内側と廊下側の両面に固定され、下端部が床面に埋め込まれて配設された中枠を示している。
以下、戸尻側縦枠１１と中枠１６、１６間側を引き込み部側、戸先側縦枠１２と中枠１６、１６間側を出入り口側と云う。
【００１４】
符号１７は、レール取付材２の廊下側の出入り口側に着脱自在に取付けられたメンテナンスパネルを示し、符号１８は戸先側縦枠１２と閉鎖された扉１５間に回動自在にもうけられた子扉を示している。
【００１５】
そして、上記引き戸枠１、中枠１６、１６、及び、引き込み部側の床面に取付けられるベース材（図示せず）、戸尻側縦枠１１と廊下側の中枠１４間に取付けられる下地パネル（図示せず）、メンテナンスパネル１７の対応して室内側に設けられるランマ下地パネル（図示せず）、レール取付材２、床面に取付けられ扉１５の下面に嵌合するガイド部材１９等が、内装仕上げが行われるまで（化粧ボード１００・・が貼り付けられるまで）に施工される。
そして、内装仕上げが終了した後（化粧ボード１００・・が貼り付けられた後）、扉１５が出入り口側からレール取付材２に取付けられた吊り戸レール１４に吊り込まれる。
次に、扉１５の自閉スピードの調節、および扉１５と床面、戸先側縦枠１２との隙間調節、等が行われ、最後にメンテナンスパネル１７が取付けられて、引き戸１が構成される。
【００１６】
符号３は、引き込み部内の室内側の壁面に形成されたパイピングスペース３０に配設されたガス配管等の点検あるいはメーターの検針等を行う為の点検用扉を示している。
符号５は、点検用扉３を開放した状態（図２の仮想線に示す状態）のみ操作可能な位置
に設けられた開放阻止部材を示している。
【００１７】
点検用扉３は、廊下側の中枠１６の戸尻側縦枠１１側の端部と、戸尻側縦枠１１の廊下側端面に中枠１６側に突出して取付けられ扉取付部材３１と、上枠１３の廊下側端面と、下地パネルに取付けられた縦長の方形枠状の点検用扉枠３２に上下２つ蝶番３３、３３を介して、戸尻側縦枠１１側の端部を中心として開閉自在に支持されている。
そして、中枠１６側の端部に錠前３４が取付けられ、中枠１６の扉取付部材３１側に錠前３４に対応して形成された係止突片３５に錠前３４の係止片３６が室内側から係止して、扉３の施錠がなされている。
【００１８】
開放阻止部材５は、室内側の中枠１６の戸尻側縦枠１１側の端部に一端が固定された係止側チェーン５１と、廊下側の中枠１６の戸尻側縦枠１１側の端部に一端が固定された被係止側チェーン５２よりなり、係止側チェーン５１の他端の係止鉤５３を被係止側チェーン５１の他端の係止輪５４に係止する事により、扉５の開放方向の移動進路に位置して、扉５が開放された時、扉５の開放側端部が当接して、扉５が所定位置より開放されるのを阻止する。
【００１９】
すなわち、開放阻止部材５は検針、点検、清掃等のため、点検用扉３が開放された状態で、係止側チェーン５１の係止鉤５３を被係止側チェーン５２の係止輪５４に係止した状態で目的の作業を行い、作業の終了後、係止鉤５３を係止輪５４から外し中枠１６、１６の戸尻側縦枠１１側の端部にぶら下げた状態とし、点検用扉３を閉鎖して施錠する。
尚、ぶら下げた状態の係止側チェーン５１及び被係止側チェーン５２が扉１５の開閉の邪魔にならないよう中枠１６、１６の戸尻側縦枠１１側の端部にチェーンの収納部を設けたり、中枠１６の一方側にのみチェーンを設け、他方の中枠１６に係止輪を設ける等、本発明の要旨を逸脱しない範囲で適宜変更可能である。
【００２０】
次に本発明の第２実施例を図５から図７に基いて説明する。
第２実施例の開放阻止部材６は、点検用扉枠３２の中枠１６側に回動自在に保持された回動軸部６１と、回動軸部６１の中枠１６側端部に連設された下方に所定寸法突出する閉塞部６２と、回動軸部６１の点検用扉３の裏面側で、閉塞部６２と所定の角度を持って前方（廊下側）に傾斜すると共に上方に突出する連接作動部６３と、連接作動部６３の上端に連接された点検用扉枠３２内に突出する当接部６４より構成され、回動軸部６１に配設された巻きバネ（付勢手段）６０によって、当接部６４が常に廊下側方向に移動し、閉塞部６２が扉１５の開放方向の移動進路に位置するよう回動軸部６１（開放阻止部材６）に回動力が付与されている。
【００２１】
すなわち、点検用扉３が閉鎖され、施錠されると、点検用扉３の裏面が、巻きバネ（付勢手段）６０の回動力に抗して当接部６４を後方（室内側）に押しやり、回動軸部６１の回動によって、閉塞部６２は扉１５の開放方向の移動進路に位置する状態から、中枠１６の戸尻側縦枠１１側の端部内で略鉛直姿勢（扉１５の開放方向の移動進路から退避した姿勢）の状態となり、扉１５は全開可能となる。（図５に示す状態）。
この時、点検用扉３の施錠を忘れると、当接部６４は、巻きバネ（付勢手段）６０の回動力によって、常に廊下側方向に移動するよう付勢されているので、点検用扉３は、完全に閉鎖せず半開き状態となり、施錠忘れを点検用扉３の半開き状態によって目視することが出来るので、点検用扉３の施錠忘れが発生しない。
すなわち、第三者が施錠忘れの点検用扉３を開放して、扉１５の開放を妨げる行為をする等の悪戯を確実に防止できる。
【００２２】
次に、点検用扉３を開放すると、当接部６４は、巻きバネ（付勢手段）６０の回動力によって、廊下側方向に移動し、閉塞部６２が扉１５の開放方向の移動進路に位置するよう回動軸部６１を中心に回動し、扉１５が所定位置から開放されるのを阻止するので、安全性に優れ、安心して、引き込み部内の清掃、あるいはガス電気等の検針、点検が出来る。
尚、第２実施例では、開放阻止部材６は、直接点検用扉枠３２の中枠１６側に回動自在に保持された構成となっているが、開放阻止部材６を一旦開放阻止部材取付座に回動自在に取付けて一つの部材とし、この部材を中枠１６にネジ止め等にて着脱自在に取付けるようにすれば、既設の引き戸にも後付け可能とすることが出来る。
又、点検用扉３は実施例では片開き戸としているが、点検口に着脱自在に取付られて、点検口を開放、閉塞可能とする点検蓋のような構成であってもよい。
【図面の簡単な説明】
【００２３】
【図１】本発明の引き戸の正面略図
【図２】図１のＡ―Ａ線要部拡大縦断面図
【図３】点検用扉の閉鎖状態での要部拡大断面図
【図４】点検用扉の開放状態での要部拡大断面図
【図５】第２実施例の点検用扉の閉鎖状態での要部拡大断面図
【図６】第２実施例の点検用扉の開放状態での要部拡大断面図
【図７】第２実施例の開放阻止部材の取付状態を示す斜視図
【符号の説明】
【００２４】
１        引き戸
１０      引き戸枠
１１      戸尻側縦枠
１２      戸先側縦枠
１５      扉
３        点検用扉
３２      点検用パネル枠
５、６    開放阻止部材
６１      回動軸部
【図１】
2006124914.tif 000003
【図２】
2006124914.tif 000004
【図３】
2006124914.tif 000005
【図４】
2006124914.tif 000006
【図５】
2006124914.tif 000007
【図６】
2006124914.tif 000008
【図７】
2006124914.tif 000009